(57)【特許請求の範囲】
【請求項１】
第１コンテンツファイルからインポートされた第２コンテンツファイルを、第３コンテンツファイルに再インポートするコンテンツ再インポート装置で実行される方法において、
前記コンテンツ再インポート装置の再インポート決定部が、コンテンツインポート装置により前記第１コンテンツファイルから前記第２コンテンツファイルにインポートされる過程で前記第１コンテンツファイルに含まれた使用制限情報であるコピー制御情報又はブロードキャストフラグに基づいて決定されたコンテンツの現在使用範囲が前記コンテンツの使用範囲をいずれか一つのデバイスに限定するデバイス範囲であり、前記コンテンツの本来の使用範囲が前記コンテンツの使用範囲をいずれか一つのドメインに含まれたデバイスに限定するドメイン範囲の場合に前記第２コンテンツファイルを前記第３コンテンツファイルに再インポートすることを許容することと決定するステップと、
前記コンテンツ再インポート装置の使用範囲変更部が前記第２コンテンツファイルを前記第３コンテンツファイルに再インポートすることを許容することと決定されれば、前記コンテンツの使用範囲を、前記デバイス範囲から前記ドメイン範囲に変更するステップと、
前記コンテンツ再インポート装置の抽出部が前記コンテンツのライセンスから、前記コンテンツの使用範囲が本来どの範囲で特定されねばならないかを表すインポートタイプを抽出するステップと、
を含み、
前記決定するステップは、前記抽出されたインポートタイプを基盤に前記再インポートの許容如何を決定し、さらに、前記インポートタイプが前記コンテンツの使用範囲が、本来のユーザにより形成されたドメイン範囲で特定されねばならないということを表す場合に前記再インポートを許容する
ことを特徴とする方法。
【請求項２】
前記コンテンツ再インポート装置の使用規則決定部が前記変更された使用範囲での前記コンテンツの使用規則を決定するステップと、
前記コンテンツ再インポート装置のライセンス発給部が前記決定された使用規則を含むライセンスを生成するステップと、をさらに含むことを特徴とする請求項１に記載の方法。
【請求項３】
前記コンテンツ再インポート装置の復号化部が前記現在使用範囲に対応する暗号化キーで、前記第２コンテンツファイルに含まれた暗号化されたコンテンツキーを復号化することによって、前記コンテンツの暗号化に使用されたコンテンツキーを復元するステップと、
前記コンテンツ再インポート装置の暗号化部が前記本来の使用範囲に対応する暗号化キーで、前記復元されたコンテンツキーを暗号化するステップとをさらに含むことを特徴とする請求項１に記載の方法。
【請求項４】
前記本来の使用範囲は、前記第１コンテンツファイルに含まれた使用制限情報を基盤に決定された使用範囲であることを特徴とする請求項１に記載の方法。
【請求項５】
前記第１コンテンツファイルは、所定のＤＲＭシステムの規則によらず、前記第２コンテンツファイル及び前記第３コンテンツファイルは、前記所定のＤＲＭシステムの規則によることを特徴とする請求項１に記載の方法。
【請求項６】
第１コンテンツファイルからインポートされた第２コンテンツファイルを、第３コンテンツファイルに再インポートする装置において、
コンテンツインポート装置により前記第１コンテンツファイルから前記第２コンテンツファイルにインポートされる過程で前記第１コンテンツファイルに含まれた使用制限情報であるコピー制御情報又はブロードキャストフラグに基づいて決定されたコンテンツの現在使用範囲が前記コンテンツの使用範囲を何れか一つのデバイスに限定するデバイス範囲であり、前記コンテンツの本来の使用範囲が前記コンテンツの使用範囲をいずれか一つのドメインに含まれたデバイスに限定するドメイン範囲の場合に前記第２コンテンツファイルを前記第３コンテンツファイルに再インポートすることを許容することと決定する再インポート決定部と、
前記第２コンテンツファイルを前記第３コンテンツファイルに再インポートすることを許容することと決定されれば、前記コンテンツの使用範囲を、前記デバイス範囲から前記ドメイン範囲に変更する使用範囲変更部と、
前記コンテンツのライセンスから前記コンテンツの使用範囲が、本来どの範囲で特定されねばならないのかを表すインポートタイプを抽出する抽出部と、
を備え、
前記再インポート決定部は、前記抽出されたインポートタイプを基盤に前記再インポートの許容如何を決定し、さらに、前記インポートタイプが前記コンテンツの使用範囲が、本来のユーザにより形成されたドメイン範囲で特定されねばならないということを表す場合に前記再インポートを許容する
ことを特徴とする装置。
【請求項７】
前記変更された使用範囲での前記コンテンツの使用規則を決定する使用規則決定部と、
前記決定された使用規則を含むライセンスを生成するライセンス発給部と、をさらに備えることを特徴とする請求項６に記載の装置。
【請求項８】
前記現在使用範囲に対応する暗号化キーで、前記第２コンテンツファイルに含まれた暗号化されたコンテンツキーを復号化することによって、前記コンテンツの暗号化に使用されたコンテンツキーを復元する復号化部と、
前記本来の使用範囲に対応する暗号化キーで前記復元されたコンテンツキーを暗号化する暗号化部とをさらに備えることを特徴とする請求項６に記載の装置。
【請求項９】
前記本来の使用範囲は、前記第１コンテンツファイルに含まれた使用制限情報を基盤に決定された使用範囲であることを特徴とする請求項６に記載の装置。
【請求項１０】
前記第１コンテンツファイルは、所定のＤＲＭシステムの規則によらず、前記第２コンテンツファイル及び前記第３コンテンツファイルは、前記所定のＤＲＭシステムの規則によることを特徴とする請求項６に記載の装置。
【発明の詳細な説明】
【技術分野】
【０００１】
本発明は、デジタルコンテンツの保護に係り、特に、ＤＲＭ（Ｄｉｇｉｔａｌ  Ｒｉｇｈｔｓ  Ｍａｎａｇｅｍｅｎｔ）システムでのデジタルコンテンツの保護に関する。
【背景技術】
【０００２】
アナログ時代からデジタル時代に転換するにつれて、多くのコンテンツがデジタルで製作されている。アナログコンテンツは、そのコピーに多くの努力や時間がかかるが、デジタルコンテンツは、そのコピーが容易かつ速かに行われる。また、アナログコンテンツは、そのコピー回数に比例して、その品質が低下するが、デジタルコンテンツは、そのコピー回数に関係なく同じ品質を維持する。これにより、デジタルコンテンツ保護に対する必要性が出てきており、デジタルコンテンツ保護に関する多様な研究が多くの企業によって行われている。
【０００３】
図１は、従来のデジタルコンテンツの保護環境を示す図である。図１に示すように、従来のデジタルコンテンツの保護環境では、多様なブロードキャスト伝送チャンネルを通じて伝送ストリームを受信し、これに含まれた情報を利用してコンテンツを保護しようとした。
【０００４】
特に、米国ケーブル・ラボ（Ｃａｂｌｅ  Ｌａｂｓ）という団体は、コンテンツのコピーを制御するために、コンテンツにコピー制御情報（コピー  コントロール  インフォメーション：ＣＣＩ）を添付させた。コピー制御情報とは、コンテンツのコピー回数を制限する２ビットの情報を言い、これらの種類には、コピーフリー（００）、コピーワンス（０１）、コピーノモア（１０）及びコピーネバー（１１）がある。コピーフリーは、コンテンツの無制限的なコピーが許容されることを表し、コピーワンスは、コンテンツの一回コピーのみが許容されることを表す。コピーワンスであるコンテンツがコピーされれば、このコンテンツは、コピーノモアになる。コピーネバーは、コンテンツのコピー禁止を表す。
【０００５】
また、米国の連邦通信委員会（Ｆｅｄｅｒａｌ  Ｃｏｍｍｕｎｉｃａｔｉｏｎｓ  Ｃｏｍｍｉｓｓｉｏｎ：ＦＣＣ）は、米国内で放送されるＨＤ（Ｈｉｇｈ  Ｄｅｆｉｎｉｔｉｏｎ）級デジタルコンテンツに対してコンテンツの無制限再配布を禁止するために、コンテンツにブロードキャストフラグを添付させた。ブロードキャストフラグとは、コンテンツの無制限再配布の禁止如何を表す１ビットの情報を言い、この種類には、ブロードキャストフラグオン（１）及びブロードキャストフラグオフ（０）がある。ブロードキャストフラグオンは、コンテンツの無制限再配布が許容されないことを表し、ブロードキャストフラグオフは、コンテンツの無制限再配布が許容されることを表す。
【０００６】
ところが、デジタルコンテンツを保護するために提示された従来のコピー制御情報及びブロードキャストフラグなどは、その表現内容が非常に簡単かつ限定的であるので、ユーザからのコンテンツの自由な使用要求に対応してコンテンツを保護するには非常に不十分であるという問題点があった。また、従来のコピー制御情報及びブロードキャストフラグのみでは、コンテンツが流通されるときにコンテンツに対する正当な権限を有するユーザのみを選別してこのコンテンツを使用可能にし難く、特に、不特定多数にこのコンテンツが不法で再配布または使用される危険性を防止するのに効果的ではなかった。
【０００７】
特に、従来のコピー制御、ブロードキャストフラグによる制限的なコンテンツ保護から外れて、コンテンツ製作者及びコンテンツ供給者の保安要求を遵守すると同時に、コンテンツユーザの自由な使用要求をさらに十分に満足させるように、コンテンツ保護を新たに構成する場合にも、様々な不回避な事情によってコンテンツユーザの自由な使用要求に符合できないようにコンテンツ保護が行われてもよい。
【発明の開示】
【発明が解決しようとする課題】
【０００８】
本発明が解決しようとする技術的課題は、従来のコピー制御、ブロードキャストフラグによる制限的なコンテンツ保護から外れて、新たに構成されたコンテンツ保護に対して、コンテンツユーザの自由な使用要求により充実に符合するようにコンテンツ保護を再び構成する方法及び装置を提供するところにある。
【課題を解決するための手段】
【０００９】
前記技術的課題を解決するための本発明によって、第１コンテンツファイルからインポートされた第２コンテンツファイルを第３コンテンツファイルに再インポートするコンテンツ再インポート装置で実行される方法は、前記コンテンツ再インポート装置の再インポート決定部が、コンテンツインポート装置により前記第１コンテンツファイルから前記第２コンテンツファイルにインポートされる過程で前記第１コンテンツファイルに含まれた使用制限情報であるコピー制御情報又はブロードキャストフラグに基づいて決定されたコンテンツの現在使用範囲が前記コンテンツの使用範囲をいずれか一つのデバイスに限定するデバイス範囲であり、前記コンテンツの本来の使用範囲が前記コンテンツの使用範囲をいずれか一つのドメインに含まれたデバイスに限定するドメイン範囲の場合に前記第２コンテンツファイルを前記第３コンテンツファイルに再インポートすることを許容することと決定するステップと、前記コンテンツ再インポート装置の使用範囲変更部が前記第２コンテンツファイルを前記第３コンテンツファイルに再インポートすることを許容することと決定されれば、前記コンテンツの使用範囲を、前記デバイス範囲から前記ドメイン範囲に変更するステップと、前記コンテンツ再インポート装置の抽出部が前記コンテンツのライセンスから、前記コンテンツの使用範囲が本来どの範囲で特定されねばならないかを表すインポートタイプを抽出するステップと、を含み、前記決定するステップは、前記抽出されたインポートタイプを基盤に前記再インポートの許容如何を決定し、さらに、前記インポートタイプが前記コンテンツの使用範囲が、本来のユーザにより形成されたドメイン範囲で特定されねばならないということを表す場合に前記再インポートを許容する。
【００１０】
前記他の技術的課題を解決するために、本発明は、前記再インポート方法をコンピュータで実行させるためのプログラムを記録したコンピュータで読み取り可能な記録媒体を提供する。
【００１１】
前記さらに他の技術的課題を解決するための本発明によって、第１コンテンツファイルからインポートされた第２コンテンツファイルを第３コンテンツファイルに再インポートする装置は、コンテンツインポート装置により前記第１コンテンツファイルから前記第２コンテンツファイルにインポートされる過程で前記第１コンテンツファイルに含まれた使用制限情報であるコピー制御情報又はブロードキャストフラグに基づいて決定されたコンテンツの現在使用範囲が前記コンテンツの使用範囲を何れか一つのデバイスに限定するデバイス範囲であり、前記コンテンツの本来の使用範囲が前記コンテンツの使用範囲をいずれか一つのドメインに含まれたデバイスに限定するドメイン範囲の場合に前記第２コンテンツファイルを前記第３コンテンツファイルに再インポートすることを許容することと決定する再インポート決定部と、前記第２コンテンツファイルを前記第３コンテンツファイルに再インポートすることを許容することと決定されれば、前記コンテンツの使用範囲を、前記デバイス範囲から前記ドメイン範囲に変更する使用範囲変更部と、前記コンテンツのライセンスから前記コンテンツの使用範囲が、本来どの範囲で特定されねばならないのかを表すインポートタイプを抽出する抽出部と、を備え、前記再インポート決定部は、前記抽出されたインポートタイプを基盤に前記再インポートの許容如何を決定し、さらに、前記インポートタイプが前記コンテンツの使用範囲が、本来のユーザにより形成されたドメイン範囲で特定されねばならないということを表す場合に前記再インポートを許容する。
【発明の効果】
【００１２】
本発明によれば、コンテンツインポートの過程で決定されたコンテンツの現在使用範囲がデバイス範囲である場合に、このコンテンツの使用範囲をドメイン範囲に変更するコンテンツ再インポートを提案することによって、コンテンツインポート当時の事情によってドメイン範囲で特定されねばならないコンテンツが、やむを得ずにデバイス範囲で特定された場合に、このコンテンツの使用制限情報などが表す本来の権限の通りにドメイン範囲で自由に使用されうる。
【００１３】
すなわち、本発明によれば、コンテンツインポート当時の事情によってドメイン範囲で特定されねばならないコンテンツが、やむを得ずにデバイス範囲で特定された場合に、ドメインでの使用規則を決定し、ドメインキーを利用してコンテンツを暗号化するコンテンツ再インポート過程を通じて、このコンテンツの使用制限情報などが表す本来の権限の通りにドメイン範囲で自由に使用されうる。
【発明を実施するための最良の形態】
【００１４】
以下では、図面を参照して本発明の望ましい実施形態を詳細に説明する。
【００１５】
図２は、本発明の望ましい一実施形態に係るデジタルコンテンツの保護環境を示す図である。図２に示すように、本実施形態に係るデジタルコンテンツの保護環境は、ＤＲＭ（Ｄｉｇｉｔａｌ  Ｒｉｇｈｔｓ  Ｍａｎａｇｅｍｅｎｔ）システム１００、ＨＤＣＰ（Ｈｉｇｈ  Ｂａｎｄｗｉｄｔｈ  Ｄｉｇｉｔａｌ  Ｃｏｎｔｅｎｔ  Ｐｒｏｔｅｃｔｉｏｎ）システム２００及びＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）システム３００のような多様なコンテンツ保護システムと、これらによる保護を受ける複数のデバイス２１〜２３から構成される。特に、デバイス２１ないし２４は、あるコンテンツ保護システムによる保護を受ければ、このコンテンツ保護システムの一つの構成要素として含まれる。例えば、デバイス１  ２１がＤＲＭシステム１００による保護を受ければ、デバイス１  ２１は、ＤＲＭシステム１００の一つの構成要素として含まれる。また、このようなコンテンツ保護システムは、デバイス２１ないし２５と別個のデバイスとして存在し、デバイス２１ないし２５のうち何れか一つのデバイスに搭載されてもよい。
【００１６】
ＤＲＭシステム１００は、外部から受信されたコンテンツの権利を管理するためのシステムである。ＨＤＣＰシステム２００は、ＤＶＩ（Ｄｉｇｉｔａｌ  Ｖｉｄｅｏ  Ｉｎｔｅｒｆａｃｅ）のような高域幅インターフェースを通じてデジタルディスプレイに出力されるコンテンツのコピーを防止するためのシステムである。ＤＴＣＰシステム３００は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格によるＵＳＢ（ユニバーサル  シリアル  バス）を通じて伝送されるコンテンツのコピーを防止するためのシステムである。前記のようなコンテンツ保護システム以外にも、ＣＡＳ（Ｃｏｎｄｉｔｉｏｎａｌ  Ａｃｃｅｓｓ  Ｓｙｓｔｅｍ）システム、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）システムのような他のコンテンツ保護システムがさらに含まれうることを、当業者ならば理解できる。
【００１７】
図２に示すように、外部から受信されたコンテンツファイルに含まれたコンテンツは、ＤＲＭシステム１００により保護されてもよく、ＨＤＣＰシステム２００またはＤＴＣＰシステム３００により保護されてもよい。ただし、このコンテンツファイルに含まれたコンテンツがＤＲＭシステム１００により保護されるためには、ＤＲＭシステム１００のコンテンツインポート装置１０により外部から受信されたコンテンツファイルは、ＤＲＭシステム１００の規則によるコンテンツファイルにインポートされねばならない。すなわち、ＤＲＭシステム１００は、従来のコピー制御、ブロードキャストフラグにより保護されるコンテンツを、コンテンツ製作者及びコンテンツ供給者の保安要求を遵守すると同時に、コンテンツユーザの自由な使用要求をさらに十分に満足させるように設計されたＤＲＭシステム１００の規則によるコンテンツにインポートするコンテンツインポート装置１０を含む。
【００１８】
本実施形態でのコンテンツインポートとは、ＤＲＭシステム１００の規則によってコンテンツのライセンスを発給し、コンテンツを暗号化する過程をいう。すなわち、本実施形態でのコンテンツインポートとは、ＤＲＭシステム１００の規則によらないコンテンツファイルをＤＲＭシステム１００の規則によるコンテンツファイルに変換させる過程をいう。本実施形態でのコンテンツファイルとは、コンテンツ及びこれについてのコピー制御情報またはライセンスなどを含むファイルをいう。特に、コンテンツファイルとは、単純にコンテンツという用語と呼びうるということを、当業者ならば理解できる。
【００１９】
コンテンツインポート装置１０は、ＤＲＭシステム１００の規則によらない第１コンテンツファイルを、ＤＲＭシステム１００の規則による第２コンテンツファイルにインポートするとき、ＤＲＭシステム１００の規則によって第１コンテンツファイルに含まれた使用制限情報を基盤に、第１コンテンツファイルに含まれたコンテンツの使用範囲及び使用規則を決定する。すなわち、コンテンツインポート装置１０は、ＤＲＭシステム１００の規則によって第１コンテンツファイルに含まれた使用制限情報を基盤に、第１コンテンツファイルに含まれたコンテンツの使用範囲を何れか一つのデバイスに特定するデバイス範囲に決定するか、または何れか一つのドメインに含まれたあらゆるデバイスに特定するドメイン範囲に決定する。
【００２０】
使用制限情報の例としては、従来のコピー制御情報、ブロードキャストフラグなどが挙げられる。前記のように、コピー制御情報とは、コンテンツのコピー回数を制限する情報を言い、この種類には、コピーフリー、コピーワンス、コピーノモア及びコピーネバーがある。また、ブロードキャストフラグとは、コンテンツの無制限再配布の禁止如何を表す情報を言い、この種類には。ブロードキャストフラグオン及びブロードキャストフラグオフがある。
【００２１】
次いで、コンテンツインポート装置１０は、ＤＲＭシステム１００の規則によって第１コンテンツファイルに含まれた使用制限情報を基盤に、前記のように決定された使用範囲別に第１コンテンツファイルに含まれたコンテンツの使用規則を決定する。次いで、コンテンツインポート装置１０は、前記のように決定された使用範囲に対応する暗号化キーでコンテンツキーを暗号化し、このコンテンツキーでコンテンツを暗号化する。次いで、コンテンツインポート装置１０は、コンテンツＩＤ、暗号化されたコンテンツキー、使用規則、ライセンス発給時点などを含むライセンスを生成する。次いで、コンテンツインポート装置１０は、前記のように暗号化されたコンテンツ及び生成されたライセンスを含む第２コンテンツファイルを生成することによって、コンテンツインポート過程は完了する。
【００２２】
例えば、第１コンテンツファイルに含まれた使用制限情報がコピー制御情報であれば、特に、このコピー制御情報が、コンテンツの無制限コピーが許容されることを表すコピーフリーであれば、コンテンツインポート装置１０は、第１コンテンツファイルに含まれたコンテンツの使用範囲をデバイス範囲に決定してもよく、ドメイン範囲に決定してもよい。ところが、ユーザにより特定されたデバイスの集合であるドメインが存在しない場合であれば、ドメインに対応する暗号化キー（以下、“ドメインキー”と言う）が存在できない。したがって、この場合、コンテンツインポート装置１０は、第１コンテンツファイルに含まれたコンテンツの使用範囲をドメイン範囲に決定できることにもかかわらず、デバイス範囲に決定するしかない。
【００２３】
また、ユーザによりあるドメインの範囲に特定されたコンテンツが、このドメインに属していないデバイスに伝送されねばならない場合であれば、このデバイスがこのコンテンツを獲得できるように、このデバイスに対応する暗号化キー（以下、“デバイスキー”と言う）でコンテンツキーを暗号化して伝送せねばならない。したがって、この場合にも同様に、コンテンツインポート装置１０は、このコンテンツの使用範囲をドメイン範囲に決定できるにもかかわらず、デバイス範囲に決定するしかない。すなわち、コンテンツインポート装置１０は、第１コンテンツファイルをドメインキーで暗号化されたコンテンツキーを含む第２コンテンツファイルにインポートできるにもかかわらず、デバイスキーで暗号化されたコンテンツキーを含む第２コンテンツファイルにインポートせざるを得ない。
【００２４】
このような場合、デバイス１ ２１に搭載されたコンテンツ再インポート装置２０は、コンテンツインポート装置１０によるインポート過程でドメイン範囲に決定されうるにもかかわらず、デバイス範囲に決定されたコンテンツに対して、このコンテンツの使用範囲を再び本来のドメイン範囲に復旧させる役割を行う。すなわち、本実施形態でのコンテンツ再インポートとは、ＤＲＭシステム１００の規則によって、コンテンツの使用範囲を再び本来のドメイン範囲に復旧させるようにコンテンツのライセンスを発給し、コンテンツを暗号化する過程をいう。言い換えれば、本実施形態でのコンテンツ再インポートとは、デバイス範囲によって発給されたライセンス及び暗号化されたコンテンツを含む第２コンテンツファイルを、ドメイン範囲によって発給されたライセンス及び暗号化されたコンテンツを含む第３コンテンツファイルに変換させる過程をいう。
【００２５】
したがって、本実施形態で第１コンテンツファイルは、ＤＲＭシステム１００の規則によらない一方、第２コンテンツファイル及び第３コンテンツファイルは、ＤＲＭシステム１００の規則による。さらに、本実施形態は、前記場合以外にもこのコンテンツの使用範囲がドメイン範囲に決定されうるにもかかわらず、デバイス範囲に決定されうる他の場合に対しても適用されうることを、当業者ならば理解できる。
【００２６】
図３は、本発明の望ましい一実施形態に係るコンテンツ再インポート装置の構成図である。図３に示すように、本実施形態に係るコンテンツ再インポート装置２０は、受信部２０１、ユーザインターフェース２０２、抽出部２０３、再インポート決定部２０４、使用範囲変更部２０５、使用規則決定部２０６、復号化部２１７、暗号化部２１８、ライセンス発給時点測定部２０９、電子署名部２１０、ライセンス発給部２１１、コンテンツファイル生成部２１２、保存部２１３、ストレージ２１４及び送受信部２１５から構成される。
【００２７】
受信部２０１は、コンテンツインポート装置１０からコンテンツインポート装置１０により第１コンテンツファイルからインポートされた第２コンテンツファイルを受信する。すなわち、受信部２０１は、ＤＲＭシステム１００の規則によらない第１コンテンツファイルからインポートされたＤＲＭシステム１００の規則による第２コンテンツファイルを受信する。
【００２８】
ユーザインターフェース２０２は、ユーザからコンテンツ再インポート命令を受信する。
【００２９】
抽出部２０３は、ユーザインターフェース２０２にコンテンツ再インポート命令が受信されれば、受信部２０１に受信された第２コンテンツファイルから暗号化されたコンテンツ、及びこのコンテンツについてのライセンスを抽出し、このライセンスからこのコンテンツＩＤ、暗号化されたコンテンツキー、このコンテンツのインポートタイプ、電子署名された使用規則及びライセンス発給時点などを抽出する。ここで、コンテンツのインポートタイプとは、コンテンツインポート装置１０によるインポート過程で決定された値であって、このコンテンツの使用範囲が本来どの範囲で特定されねばならないのかを表す情報を言う。
【００３０】
コンテンツインポート装置１０は、第１コンテンツファイルに含まれた使用制限情報、例えば、コピー制御情報またはブロードキャストフラグなどを基盤にこのインポートタイプを決定する。このようなインポートタイプの値としては、ユーザ特定またはデバイス特定がある。すなわち、コンテンツのインポートタイプがユーザ特定というのは、このコンテンツの使用範囲が、本来のユーザにより形成されたドメイン範囲で特定されねばならないということを表す。また、コンテンツのインポートタイプがデバイス特定というのは、このコンテンツの使用範囲が、本来デバイス範囲で特定されねばならないということを表す。
【００３１】
再インポート決定部２０４は、抽出部２０３により抽出されたインポートタイプを基盤に、第２コンテンツファイルに含まれた暗号化されたコンテンツの現在使用範囲と、このコンテンツの本来の使用範囲との差を識別し、この差によって第２コンテンツファイルを第３コンテンツファイルに再インポートすることを許容するか否かを決定する。ここで、コンテンツの現在使用範囲とは、コンテンツインポート装置１０により第１コンテンツファイルから第２コンテンツファイルにインポートされる過程で決定された使用範囲を意味する。すなわち、第２コンテンツファイルに含まれた暗号化されたコンテンツの暗号化に使用されたコンテンツキーがあるデバイスキーで暗号化されていれば、このコンテンツの現在使用範囲は、デバイス範囲であることを表し、あるドメインキーで暗号化されていれば、このコンテンツの現在使用範囲は、ドメイン範囲であることを表す。
【００３２】
コンテンツの本来の使用範囲とは、第１コンテンツファイルに含まれた使用制限情報、例えば、コピー制御情報またはブロードキャストフラグなどを基盤に決定された使用範囲を意味する。すなわち、抽出部２０３により抽出されたインポートタイプの値がユーザ特定であれば、コンテンツの本来の使用範囲は、ユーザにより形成されたドメイン範囲であることを表し、デバイス特定であれば、コンテンツの本来の使用範囲は、デバイス範囲であることを表す。
【００３３】
図４は、本発明の望ましい一実施形態に係るコンテンツ再インポートの許容如何を表すテーブルである。図４に示すように、コンテンツのインポートタイプがユーザ特定であり、コンテンツの現在使用範囲がドメイン範囲である場合には、本実施形態に係るコンテンツ再インポートが適用され得ない。なぜなら、コンテンツの現在使用範囲が既にドメイン範囲であるため、コンテンツの使用範囲を再びドメイン範囲に変更する必要がないためである。また、コンテンツのインポートタイプがユーザ特定であり、コンテンツの現在使用範囲がデバイス範囲である場合には、本実施形態に係るコンテンツ再インポートが適用されうる。
【００３４】
また、コンテンツのインポートタイプがデバイス特定であり、コンテンツの現在使用範囲がドメイン範囲である場合には存在できない。コンテンツのインポートタイプがデバイス特定であり、コンテンツの現在使用範囲がデバイス範囲である場合には禁止されている。
【００３５】
すなわち、再インポート決定部２０４は、コンテンツの現在使用範囲がデバイス範囲であり、このコンテンツの本来の使用範囲がドメイン範囲である場合にのみ、第２コンテンツファイルを第３コンテンツファイルに再インポートすることを許容する。言い換えれば、再インポート決定部２０４は、第１コンテンツファイルに含まれた使用制限情報を基盤に決定された使用範囲がデバイス範囲であり、抽出部２０３により抽出されたインポートタイプの値がユーザ特定である場合にのみ、第２コンテンツファイルを第３コンテンツファイルに再インポートすることを許容する。
【００３６】
使用範囲変更部２０５は、再インポート決定部２０４での決定結果によって、抽出部２０３により抽出されたコンテンツの使用範囲を、コンテンツの現在使用範囲からコンテンツの本来の使用範囲に変更する。さらに詳細には、使用範囲変更部２０５は、再インポート決定部２０４により再インポートを許容することと決定されれば、抽出部２０３により抽出されたコンテンツの使用範囲を、第１コンテンツファイルから第２コンテンツファイルにインポートされる過程で決定された使用範囲であるデバイス範囲から、第１コンテンツファイルに含まれた使用制限情報を基盤に決定された使用範囲のドメイン範囲に変更する。
【００３７】
使用規則決定部２０６は、ＤＲＭシステム１００の規則によって使用範囲変更部２０５により変更された使用範囲でのコンテンツの使用規則を決定する。すなわち、使用規則決定部２０６は、使用範囲変更部２０５によりコンテンツの使用範囲が、デバイス範囲からドメイン範囲に変更されれば、何れか一つのドメインでのコンテンツの使用規則を決定する。ＤＲＭシステム１００の規則は、コンテンツ製作者及びコンテンツ供給者の保安要求を遵守すると同時に、コンテンツユーザの自由な使用要求をさらに十分に満足させうる方向に決定されるため、使用規則決定部２０６は、このような方向でコンテンツの使用規則を決定する。
【００３８】
図５は、本発明の望ましい一実施形態に係る使用規則テーブルを示す図である。図５に示すように、本実施形態に係る使用規則テーブルは、使用制限情報フィールド５１、インポートフィールド５２、使用範囲フィールド５３及び使用規則フィールド５４から構成される。
【００３９】
使用制限情報フィールド５１には、使用制限情報が記録される。インポートフィールド５２には、使用制限情報フィールド５１に記録された使用制限情報を有するコンテンツがインポート可能であるか否かを表す値が記録される。使用範囲フィールド５３には、使用制限情報フィールド５１に記録された使用制限情報を基盤とする使用範囲が記録される。使用規則フィールド５４には、使用範囲フィールド５３に記録された使用範囲別に使用制限情報フィールド５１に記録された使用制限情報を基盤とする使用規則が記録される。
【００４０】
特に、使用規則フィールド５４に記録された値のうち“オール”は、コンテンツに対するあらゆる種類の使用が可能であるということを表す。また、使用規則フィールド５４に記録された値のうち“Ｍ”は、コンテンツの移動を表す。コンテンツの移動とは、何れか一つのデバイスに保存されたコンテンツが、このデバイスから削除されると同時に、他のデバイスに保存されることを意味する。また、使用規則フィールド５４に記録された値のうち“Ｓ”は、コンテンツのストリーミングを表す。コンテンツのストリーミングとは、何れか一つのデバイスに保存されたコンテンツが、他のデバイスにしばらく出力されるが、本来のデバイスでコンテンツを継続的に保存しているということを意味する。また、使用規則フィールド５４に記録された値のうち“Ｐ”は、コンテンツの再生を表す。コンテンツの再生とは、何れか一つのデバイスがコンテンツを再生することを意味する。
【００４１】
コピーフリーは、コンテンツの無制限コピーが許容されることを表すため、使用制限情報がコピーフリーである場合には、使用範囲フィールド５３にデバイス、ドメインが記録され、使用規則フィールド５４に“オール”が記録される。一方、コピーワンスは、コンテンツの一回コピーのみが許容されることを表すため、使用制限情報がコピーワンスである場合には、使用範囲フィールド５３にデバイスが記録され、使用規則フィールド５４に“Ｍ、Ｓ、Ｐ”が記録される。
【００４２】
コンテンツの使用例としては、前記の移動、ストリーミング、再生以外にもコピーなどがある。コンテンツのコピーとは、本実施形態によってインポートされたコンテンツをコピーすることを意味する。ところが、コンテンツインポート装置１０がコンテンツをインポートするためには、コンテンツコピーが前提されねばならず、その結果、本実施形態によってインポートされたコンテンツをコピーするのならば、２回のコピーが行われる。したがって、コンテンツインポート装置１０は、コピーワンスであるコンテンツをインポートすることはできるが、本実施形態によってインポートされたコンテンツをコピーするように許容することはできない。これは、使用制限情報がコピーワンスである場合に、使用規則フィールド５４に“Ｍ、Ｓ、Ｐ”のみが記録される理由である。
【００４３】
ブロードキャストフラグオンは、コンテンツの無制限再配布が許容されないことを表すため、ブロードキャストフラグがブロードキャストフラグオンである場合には、使用範囲フィールド５３にデバイス、ドメインが記録され、使用規則フィールド５４に“オール”が記録される。デバイス範囲内でのコンテンツのコピーを含んだいかなる形態の使用も、コンテンツの無制限再配布の禁止に符合し、ドメイン範囲もユーザにより認識可能な特定の地域であるため、ドメイン範囲内でのコンテンツのコピーを含んだいかなる形態の使用も、コンテンツの無制限再配布の禁止に符合する。
【００４４】
前記のように、あるコンテンツの使用範囲がデバイス範囲である場合とドメイン範囲である場合とに、このコンテンツの使用規則は異なりうる。したがって、使用規則決定部２０６は、既に何れか一つのデバイスでのコンテンツの使用規則が決定されたコンテンツに対して、再び何れか一つのドメインでのコンテンツの使用規則を決定せねばならない。ただし、図５に示すテーブルによれば、あるコンテンツの使用範囲がデバイス範囲及びドメイン範囲のうち何れの方向にも決定されうる場合に、このコンテンツの使用規則は、このコンテンツの使用範囲に関係なく常にコンテンツに対するあらゆる種類の使用が可能であるということを表す“オール”である。したがって、使用規則決定部２０６が、図５に示すテーブルに基づいて何れか一つのドメインでのコンテンツの使用規則を決定すれば、コンテンツの使用規則は変更されない。
【００４５】
復号化部２１７は、抽出部２０３により抽出された暗号化されたコンテンツキーを、コンテンツの現在使用範囲に該当する何れか一つのデバイスに対応する暗号化キー、すなわち、デバイスキーで復号化することによって、このコンテンツの暗号化に使用されたコンテンツキーを復元する。一般的に、デバイスキーは、何なる暗号化技法が使用されたかによって決定される。例えば、公開キー／個人キーの暗号化技法が使用された場合であれば、デバイスキーは個人キーになり、秘密キー暗号化技法が使用された場合には、秘密キーになる。
【００４６】
暗号化部２１８は、コンテンツの本来の使用範囲に該当する何れか一つのドメインに対応する暗号化キー、すなわち、ドメインキーで復号化部２１７により復元されたコンテンツキーを暗号化する。本実施形態で、ドメインキーは、あるドメインを管理するマネージャ装置により周期的に更新され、このドメインに属しているデバイスに配布されうる。コンテンツ再インポート装置２０が保有しているドメインキーが、最新ドメインキーではなければ、コンテンツ再インポート装置２０は、ドメインマネージャ装置に最新ドメインキーを要請することによって最新ドメインキーを獲得できる。
【００４７】
ライセンス発給時点測定部２０９は、暗号化部２１８による暗号化が完了して、コンテンツのライセンスを発給する準備が完了すれば、ライセンスが発給される時点を測定する。このように測定されたライセンス発給時点をライセンスに挿入することによって、コンテンツインポート装置１０によりインポートされたコンテンツを受信したデバイスのうち、このライセンス発給時点で正当な権限を保有したデバイスのみがコンテンツ使用を可能にする。ところが、ライセンスの発給時点が操作されれば、コンテンツ製作者及びコンテンツ供給者の保安要求を遵守できなくなり、その結果、ＤＲＭシステム１００のコンテンツ保護機能が良好に発揮されなくなる。したがって、ライセンス発給時点は必ず任意に操作できない保安時間を使用せねばならない。
【００４８】
電子署名部２１０は、ＤＲＭシステム１００の規則によって使用規則決定部２０６により決定された使用規則、及びライセンス発給時点測定部２０９により測定されたライセンス発給時点に電子署名を行う。一般的に、電子署名は、文書またはメッセージが変調されていないことを保証するために使用される。使用規則決定部２０６により決定された使用規則またはライセンス発給時点測定部２０９により測定されたライセンス発給時点が変調されれば、コンテンツ製作者及びコンテンツ供給者の保安要求を遵守できなくなり、その結果、ＤＲＭシステム１００のコンテンツ保護機能が良好に発揮されなくなる。
【００４９】
ライセンス発給部２１１は、抽出部２０３により抽出されたコンテンツＩＤ、暗号化部２０８により暗号化されたコンテンツキー、電子署名部２１０により電子署名された使用規則及びライセンス発給時点を含むライセンスを生成して発給する。
【００５０】
図６は、本発明の望ましい一実施形態に係るライセンスのフォーマットを示す図である。図６に示すように、本実施形態に係るライセンス６１、６２は、コンテンツＩＤ  ６１１、６２１、暗号化されたコンテンツキー６１２、６２２、電子署名された使用規則６１３、６２３、及び電子署名されたライセンス発給時点６１４、６２４から構成される。特に、コンテンツインポート装置１０のインポート過程で生成されたライセンス６１は、コンテンツＩＤ  ６１１、デバイスキーで暗号化されたコンテンツキー６１２、電子署名された使用規則６１３、及び電子署名されたライセンス発給時点６１４で構成される。また、コンテンツ再インポート装置２０の再インポート過程で生成されたライセンス６２は、コンテンツＩＤ  ６２１、デバイスキーで暗号化されたコンテンツキー６２２、電子署名された使用規則６２３、及び電子署名されたライセンス発給時点６２４で構成される。
【００５１】
コンテンツインポート装置１０またはコンテンツ再インポート装置２０によりインポートまたは再インポートされたコンテンツを受信したデバイスは、図６に示すライセンス６１、６２のコンテンツＩＤ  ６１１、６２１を参照してコンテンツを識別できる。また、コンテンツインポート装置１０またはコンテンツ再インポート装置２０によりインポートまたは再インポートされたコンテンツを受信したデバイスは、前記のように識別されたコンテンツを獲得するために、図６に示すライセンス６１、６２の暗号化されたコンテンツキー６１２、６２２に対する復号化を試みる。
【００５２】
コンテンツインポート装置１０によりインポートされたコンテンツの場合には、暗号化されたコンテンツキー６１２を復号化できるデバイスキーを保有したデバイスのみが、このコンテンツキーを復号化できるが、コンテンツ再インポート装置２０により再インポートされたコンテンツの場合には、暗号化されたコンテンツキー６２２を復号化できるドメインキーを保有した複数のデバイスが、このコンテンツキーを復号化できる。また、コンテンツインポート装置１０またはコンテンツ再インポート装置２０によりインポートまたは再インポートされたコンテンツを受信したデバイスは、前記復号化により復元されたコンテンツキーにコンテンツインポート装置１０またはコンテンツ再インポート装置２０によりインポートまたは再インポートされたコンテンツを復号化する。前記のように、コンテンツインポート装置１０またはコンテンツ再インポート装置２０によりインポートまたは再インポートされたコンテンツは、暗号化された形態のコンテンツであるためである。
【００５３】
また、コンテンツインポート装置１０またはコンテンツ再インポート装置２０によりインポートまたは再インポートされたコンテンツを受信したデバイスは、図６に示すライセンス６１、６２の電子署名された使用規則６１３、６２３及び電子署名されたライセンス発給時点６１４、６２４が変調されたか否かを確認し、この使用規則及びライセンスの発給時点に基づいて、ユーザが正当な権限を保有しているか否かを確認する。その結果、電子署名された使用規則６１３、６２３が変調されておらず、ユーザが正当な権限を保有していると確認されれば、コンテンツインポート装置１０またはコンテンツ再インポート装置２０によりインポートまたは再インポートされたコンテンツを受信したデバイスは、図６に示すライセンス６１、６２に含まれた使用規則によってコンテンツを使用する。これにより、コンテンツ製作者及びコンテンツ供給者の保安要求を遵守すると同時に、コンテンツユーザの自由な使用要求をさらに十分に満足させうる。
【００５４】
特に、本実施形態によれば、コンテンツインポート装置１０によりインポートされたコンテンツの場合には、暗号化されたコンテンツキーを復号化できるデバイスキーを保有したデバイスのみがこのコンテンツを獲得できたが、コンテンツ再インポート装置２０により再インポートされたコンテンツの場合には、暗号化されたコンテンツキーを復号化できるドメインキーを保有した複数のデバイスが、このコンテンツを獲得できる。すなわち、コンテンツインポート当時の事情により、ドメイン範囲に特定されねばならないコンテンツが、やむを得ずにデバイス範囲に特定された場合に、前記のような暗号化過程及びライセンス発給過程を通じて、このコンテンツの使用制限情報などが表す本来の権限の通りにドメイン範囲で自由に使用されうる。
【００５５】
コンテンツファイル生成部２１２は、ＤＲＭシステム１００の規則によって使用規則決定部２０６により決定された使用規則によるコンテンツファイルを生成する。これは、コンテンツ再インポート装置２０により再インポートされたコンテンツを受信したデバイスが、使用規則決定部２０６により決定された使用規則によってコンテンツを使用可能にするためである。前記のように、使用規則決定部２０６により決定された使用規則は、ライセンス発給部２１１により発給されたライセンスに挿入される。すなわち、コンテンツファイル生成部２１２は、ライセンス発給部２１１により発給されたライセンス及び暗号化部２１８により暗号化されたコンテンツを含むコンテンツファイルを生成する。ただし、ライセンス発給部２１１により発給されたライセンス及び暗号化部２１８により暗号化されたコンテンツは、一つにパッケージングされてもよく、相互分離されてパッケージングされてもよい。
【００５６】
保存部２１３は、コンテンツファイル生成部２１２により生成されたコンテンツファイルをストレージ２１４に保存する。
【００５７】
送受信部２１５は、図２に示すデバイス２２ないし２４のうち何れか一つからコンテンツの伝送要請を受信すれば、このデバイスにストレージ２１４に保存されたコンテンツファイルを伝送する。送受信部２１５は、このデバイスが支援する任意の方式でコンテンツファイルを伝送できる。例えば、ＳＤ（Ｓｅｃｕｒｅ  Ｄｉｇｉｔａｌ）カードのような記録媒体を通じてコンテンツを伝送してもよく、ＲＴＰ（Ｒｅａｌ−ｔｉｍｅ  Ｔｒａｎｓｐｏｒｔ  Ｐｒｏｔｏｃｏｌ）のような伝送プロトコルによってコンテンツを伝送してもよい。
【００５８】
図７Ａ及び図７Ｂは、本発明の望ましい一実施形態に係るコンテンツ再インポート方法のフローチャートである。図７Ａ及び図７Ｂに示すように、本実施形態に係るコンテンツ再インポート方法は、図３に示すコンテンツ再インポート装置２０で時系列的に処理されるステップで構成される。したがって、
以下で省略された内容であっても、図３に示すコンテンツインポート装置２０について前述の内容は、本実施形態に係るコンテンツインポート方法にも適用される。
【００５９】
ステップ７０１で、コンテンツ再インポート装置２０は、コンテンツインポート装置１０から、コンテンツインポート装置１０により第１コンテンツファイルからインポートされた第２コンテンツファイルを受信する。
【００６０】
ステップ７０２で、コンテンツ再インポート装置２０は、ユーザからコンテンツ再インポート命令を受信する。
【００６１】
ステップ７０３で、コンテンツ再インポート装置２０は、ステップ７０１で受信された第２コンテンツファイルから暗号化されたコンテンツ、及びこのコンテンツについてのライセンスを抽出し、このライセンスからこのコンテンツＩＤ、暗号化されたコンテンツキー、このコンテンツのインポートタイプ、電子署名された使用規則及びライセンス発給時点などを抽出する。
【００６２】
ステップ７０４で、コンテンツ再インポート装置２０は、ステップ７０３で抽出されたインポートタイプを基盤に、第２コンテンツファイルに含まれた暗号化されたコンテンツの現在使用範囲と、このコンテンツの本来の使用範囲との差を識別し、この差によって第２コンテンツファイルを第３コンテンツファイルに再インポートすることを許容するか否かを決定する。
【００６３】
すなわち、ステップ７０４で、コンテンツ再インポート装置２０は、第１コンテンツファイルに含まれた使用制限情報を基盤に決定された使用範囲がデバイス範囲であり、ステップ７０３で抽出されたインポートタイプの値がユーザ特定である場合にのみ、第２コンテンツファイルを第３コンテンツファイルに再インポートすることを許容する。もし、再インポートを許容すると決定されれば、ステップ７０５に進み、再インポートを許容しないと決定されれば、終了する。
【００６４】
ステップ７０５で、コンテンツ再インポート装置２０は、ステップ７０３で抽出されたコンテンツの使用範囲を、コンテンツの現在使用範囲からコンテンツの本来の使用範囲に変更する。さらに詳細には、ステップ７０５でコンテンツ再インポート装置２０は、ステップ７０３で抽出されたコンテンツの使用範囲を、第１コンテンツファイルから第２コンテンツファイルにインポートされる過程で決定された使用範囲であるデバイス範囲から、第１コンテンツファイルに含まれた使用制限情報を基盤に決定された使用範囲のドメイン範囲に変更する。
【００６５】
ステップ７０６で、コンテンツ再インポート装置２０は、ＤＲＭシステム１００の規則によって、ステップ７０５で変更された使用範囲でのコンテンツの使用規則を決定する。すなわち、ステップ７０６でコンテンツ再インポート装置２０は、ステップ７０５でコンテンツの使用範囲が、デバイス範囲からドメイン範囲に変更されれば、何れか一つのドメインでのコンテンツの使用規則を決定する。
【００６６】
ステップ７０７で、コンテンツ再インポート装置２０は、ステップ７０３で抽出された暗号化されたコンテンツキーを、コンテンツの現在使用範囲に該当する何れか一つのデバイスに対応する暗号化キー、すなわち、デバイスキーで復号化することによって、このコンテンツの暗号化に使用されたコンテンツキーを復元する。
【００６７】
ステップ７０８で、コンテンツ再インポート装置２０は、コンテンツの本来の使用範囲に該当する何れか一つのドメインに対応する暗号化キー、すなわち、ドメインキーでステップ７０７で復元されたコンテンツキーを暗号化する。
【００６８】
ステップ７０９で、コンテンツ再インポート装置２０は、ステップ７０８での暗号化が完了して、コンテンツのライセンスを発給する準備が完了すれば、ライセンスが発給される時点を測定する。
【００６９】
ステップ７１０で、コンテンツ再インポート装置２０は、ＤＲＭシステム１００の規則によって、ステップ７０６で決定された使用規則及びステップ７０９で測定されたライセンス発給時点に電子署名を行う。
【００７０】
ステップ７１１で、コンテンツ再インポート装置２０は、ＤＲＭシステム１００の規則によって、ステップ７０３で抽出されたコンテンツＩＤ、ステップ７０８で暗号化されたコンテンツキー、ステップ７１０で電子署名された使用規則及びライセンス発給時点を含むライセンスを生成して発給する。
【００７１】
ステップ７１２で、コンテンツ再インポート装置２０は、ステップ７１１で発給されたライセンス、及びステップ７０３で抽出された暗号化されたコンテンツを含むコンテンツファイルを生成し、生成されたコンテンツファイルをストレージ２１４に保存する。
【００７２】
ステップ７１３で、コンテンツ再インポート装置２０は、図２に示すデバイス２２ないし２４のうち何れか一つからコンテンツの伝送要請を受信すれば、このデバイスにストレージ２１４に保存されたコンテンツファイルを伝送する。
【００７３】
一方、前述の本発明の実施形態は、コンピュータで実行できるプログラムで作成可能であり、コンピュータで読み取り可能な記録媒体を利用して、前記プログラムを動作させる汎用のデジタルコンピュータで具現されうる。また、前述の本発明の実施形態で使用されたデータの構造は、コンピュータで読み取り可能な記録媒体に多様な手段を通じて記録されうる。
【００７４】
前記コンピュータで読み取り可能な記録媒体は、マグネチック記録媒体（例えば、ＲＯＭ、フロッピー（登録商標）ディスク、ハードディスク等）、光学的判読媒体（例えば、ＣＤ−ＲＯＭ、ＤＶＤ等）及びキャリアウェーブ（例えば、インターネットを介した伝送）のような記録媒体を含む。
【００７５】
以上、本発明についてその望ましい実施形態を中心に説明した。当業者は、本発明が本発明の本質的な特性から逸脱しない範囲で変形された形態で具現されうるということが理解できるであろう。したがって、開示された実施形態は、限定的な観点ではなく、説明的な観点で考慮されねばならない。本発明の範囲は、前述の説明ではなく、特許請求の範囲に示されており、それと同等な範囲内にあるあらゆる差異点は本発明に含まれたものと解釈されねばならない。
【産業上の利用可能性】
【００７６】
本発明は、ＤＲＭシステムを構成する装置に関連した技術分野に好適に適用されうる。
【図面の簡単な説明】
【００７７】
【図１】従来のデジタルコンテンツの保護環境を示す図である。
【図２】本発明の望ましい一実施形態に係るデジタルコンテンツの保護環境を示す図である。
【図３】本発明の望ましい一実施形態に係るコンテンツ再インポート装置の構成図である。
【図４】本発明の望ましい一実施形態に係るコンテンツ再インポートの許容如何を表すテーブルである。
【図５】本発明の望ましい一実施形態に係る使用規則テーブルを示す図である。
【図６】本発明の望ましい一実施形態に係るライセンスのフォーマットを示す図である。
【図７Ａ】本発明の望ましい一実施形態に係るコンテンツ再インポート方法のフローチャートである。
【図７Ｂ】本発明の望ましい一実施形態に係るコンテンツ再インポート方法のフローチャートである。
【符号の説明】
【００７８】
１０  コンテンツインポート装置
２０  コンテンツ再インポート装置
２０１  受信部
２０２  ユーザインターフェース
２０３  抽出部
２０４  再インポート決定部
２０５  使用範囲変更部
２０６  使用規則決定部
２１７  復号化部
２１８  暗号化部
２０９  ライセンス発給時点測定部
２１０  電子署名部
２１１  ライセンス発給部
２１２  コンテンツファイル生成部
２１３  保存部
２１４  ストレージ
２１５  送受信部
【図１】
0005111862.tif 000002
【図２】
0005111862.tif 000003
【図３】
0005111862.tif 000004
【図４】
0005111862.tif 000005
【図５】
0005111862.tif 000006
【図６】
0005111862.tif 000007
【図７Ａ】
0005111862.tif 000008
【図７Ｂ】
0005111862.tif 000009